(57)【要約】本発明は靴製造方法にかかわるもので、甲の革と内張りが、中敷ないしはインソールを構成する部分とつながって、ひとつのポケット状のパーツとなり、その後甲の革は靴型にはめられ、靴底とつなげられる。本発明は、甲の革（１）と内張り（２）の間に形成されたポケットに、靴型にはめる工程の前に、月型芯（７）あるいはフットベッドつきインソール（９）が挿入されることを特徴とする。
2005524545.tif 000002
【特許請求の範囲】
【請求項１】
甲の革と内張りが、中敷ないしはインソールを構成する部分とつながって、ひとつの袋状のパーツとなり、その後甲の革（１）が靴型にはめられ、靴底とつなげられる靴製造方法であって、甲の革（１）と内張り（２）との間に形成された袋に、靴型にはめる工程の前に、月型芯（７）および／またはフットベッドつきインソール（９）が挿入されることを特徴とする靴製造方法。
【請求項２】
請求項１に記載の製造方法で、月型芯（７）および／またはフットベッドつきインソール（９）が、靴型にはめる工程の間にシャフトおよび靴底と接着されることを特徴とする靴製造方法。
【請求項３】
甲の革（１）、内張り（２）および靴底を持った靴で、内張り（２）がインソールを形成しており、内張りの上端が甲の革（１）とつながっており、甲の革（１）が靴型にはめられ、靴底とつながっている靴であって、月型芯および／またはフットベッドつきインソール（９）が、甲の革（１）と内張り（２）の間に配置されていることを特徴とする靴。
【請求項４】
請求項３に記載の靴で、月型芯（７）の断面が基本的にＬ字型に設計されており、靴底の縦方向に、インソールを形成する部分（５）と内張りをつなぐための、内張り（２）の縫い目（４）の輪郭に沿った、この縫い目（４）を入れる切り込み溝（８）を持っていることを特徴とする靴。
【請求項５】
請求項３あるいは４に記載の靴で、月型芯（７）および／またはフットベッドつきインソール（９）が靴底の縦方向に走る芯ないしは補強を持っていることを特徴とする靴。
【請求項６】
請求項３，４または５に記載の靴で、インソール（９）が楔形に、踵部分に向かって厚くなってゆくように設計されていることを特徴とする靴。
【請求項７】
請求項３から６までのいずれか１項に記載の靴で、月型芯（７）がインソール（９）と一体に設計されていることを特徴とする靴。
【発明の詳細な説明】
【技術分野】
【０００１】
本発明は、甲の革と内張りが、中敷ないしはインソールを構成する部分とつながって、ひとつの袋状のパーツとなり、その後甲の革は靴型にはめられ、靴底とつなげられる靴製造方法、ならびにこの製造方法によって製造された靴に関する。
【背景技術】
【０００２】
従来の靴製造方法、すなわち何層にも重なった構造になり、内張りの上に、場合によっては月型芯を埋め込んだ下に、しかるべき表革が配置され、中底と中物とつなげられる製造方法と並んで、特にはきやすい、たいていは部屋履きとして作られる靴の製造方法で、甲の革がトップラインで内張りと縫い合わされ、内張り自体は袋のように、インソールが別になっておらず、やはり直接フットベッド部分を構成している方法が知られている。この製造方法は「サケット（Ｓａｃｃｈｅｔｔｏ＝小袋）」と呼ばれている。こうした非常に柔軟で、したがって非常にはきやすい靴は、インソールが別になっていないが、柔軟性に優れ、輪郭によく合うことが特徴であるが、その結果全体として非常に簡単にねじれる構造になる。
【０００３】
最初に挙げた、袋状のパーツが靴底だけとつなげられる靴の製造は、通常、この甲の革と内張りで構成される袋状パーツが靴型にはめられ、靴底と接着されるという形で行われる。こうした靴の場合、普通ヒールのない靴底構造が選ばれるが、底に組み込まれたヒールを持った構造も考えられ、但しこうした靴底構造はねじり剛性が小さい。この方法では中物の上に配置される内張りパーツの部分は、選んだ材料のためにほかの内張り同様柔らかく、したがってどんな輪郭にも合わせられる。
【０００４】
こうした単純な靴は、品質の高い材料を使って作ることも可能だが、こうした靴は非常に履きやすい一方、特にねじり剛性が小さいために、こうした靴は足を十分支えないという印象を与える。それでこうした靴の構造は、単純なモカシンや部屋履きに限られてきたが、この場合履き心地を改善するために、場合によっては望ましい、靴底部分の生理学的要求への対応が、別になったカップインソールによって達成された。月型芯が別についたカップインソールは、たとえばドイツの実用新案意匠Ｇ８１３１０８４．６に見られ、この場合こうしたカップインソールには、はめ込まれたあるいはカップインソールからはずすことのできる月型芯がついている。フットベッドの改良型は、ＤＥ３５２７５８３８１にも見られ、こちらはバイオメカニクスの観点から設計に、衝撃をよく和らげる素材を用いたクッションを本体の上に配置することが含まれており、但しフットベッドの踵部分はもっぱらクッションによって構成されている。靴の中敷あるいはインソールは、通常しかるべき月型芯をつけて作られるが、こうした提案はたとえばＤＥ２０００１１５８Ｕ１に見られる。こうしたインソールはカップインソールとして靴の中にはめ込むことが可能であるか、あるいは靴底とつなげて特別に接着されているか、あるいは月型芯を構成しながらインソールと動かない形でつながっている可能性のある補強層を持っている。しかしこのようにフットベッドないしはインソールを後から変更すると、全ての場合に最初に挙げた方法の主な長所は失われてしまう。最初に挙げた方法によれば、中の内張りはすでに靴製造の製造工程中に、しかるべき位置に挿入される。これは甲の革だけが靴型にはめられ、その場で完成した、非常に柔軟性の高い靴が作られるからである。
【発明の開示】
【発明が解決しようとする課題】
【０００５】
本発明は、最初に挙げた方法を、大幅に変更することなく、直接履き心地のよさの向上と、それに伴う補強、ないしは月型芯あるいはフットベッドの形成を可能にする形で発展することを目指すが、但し内張りが一体化している利点はそのまま残し、またこうした補強によって場合によってはヒールのついた靴底が磨り減ったり、たわんだりするのを抑え、しかもねじれ特性に特に好ましくない影響を及ぼさないような発展形である。
【課題を解決するための手段】
【０００６】
この課題を解決するため、本発明による方法の主な特徴は、甲の革と内張りの間に形成された袋に、靴型にはめる工程の前に、月型芯および／あるいはフットベッドつきインソールが挿入されることにある。
【０００７】
こうして月型芯および／あるいはフットベッドつきインソールが、靴型にはめる工程の前に、本発明による方法の特徴である袋に直接挿入されることによって、製造工程をそれほど変更せずに、そのまま望みどおりの補強ないしは望みどおりの足の支えが達成され、しかも、たった一工程のうちに、内張りも正しい位置において固定できるという利点はそのまま残る。むしろ、最初に挙げた製造方法の特性が利用され、その方法によれば、甲の革と内張りで構成される袋状のパーツが初期産物として存在する。この方法では、適切な靴型を選択することで、足の生理学的条件への最適な対応を保証することが簡単に可能である。
【０００８】
本発明による方法は、月型芯および／あるいはフットベッドつきインソールが、靴型にはめる工程中にシャフトおよび靴底と接着されるという形で効果的に実施される。したがって月型芯および／あるいはフットベッドつきインソールをしかるべき袋に押し込み、甲の革を靴型にはめ、たった一回の接着工程で靴を完成させるだけで十分で、このとき同時に月型芯および／あるいはフットベッドつきインソールが選択した位置に接着される。
【０００９】
本発明による靴は、甲の革、内張りと靴底がついており、この靴底では内張りがインソールを形成しているあるいはインソールの代わりになっており、内張りの上縁が甲の革とつながっており、甲の革が靴型にはめられ靴底とつながっているが、この本発明による靴は、月型芯および／あるいはフットベッドつきインソールが甲の革と内張りの間に配置されていることを特徴とする。甲の革と内張りで構成されるパーツの袋状構造により、ここには当然縫い目ができるが、この縫い目は足あるいは靴底の輪郭に対応することになる。さて補足的に挿入されるべき月型芯の枠内で、足の内側に好ましくない圧力のかかる箇所を作らずに、こうした縫い目を入れられるために、また一体化した柔らかい内張りの利点を無制限に利用できるために、効果的設計は月型芯の横断面がかなりＬ字型に作られ、靴底の縦方向に、インソールを形成する部分と内張りをつなぐための、内張りの縫い目の輪郭に沿って、この縫い目を入れるための切り込み溝を持っているように作られている。
【００１０】
こうした月型芯あるいはインソールを使って補足的にヒールのついた靴の履き心地を改善し、ヒールに隣接した部分が擦り切れるのを抑えたいなら、効果的設計は、月型芯および／またはフットベッドつきインソールが靴底の縦方向に走る芯ないしは補強を持つように行える。しかしヒールは、ヒールに隣接した部分の擦り切れが押さえられ、同時に靴底縦方向にはしる補強がなしで済ませられるように、インソールを楔状に、踵部分に向かって厚みを増してゆくように設計することによっても達成される。
【００１１】
もうひとつの好んで行われる設計によれば、月型芯がインソールと一体になって設計され、それによって製造工程が単純化され、フットベッドつきインソール１枚以外挿入する必要がなく、このインソールが同時に月型芯の機能を併せ持っている。
【００１２】
本発明は以下に、図中に図式的に表された施工例を使ってより詳細に説明される。
【発明を実施するための最良の形態】
【００１３】
図１には甲の革１が示されており、これは足を入れることを考えた履き口部分で、縫い目を介して内張り２とつながっている。履き口部分の縫い目はここでは３と表示されている。内張り２と甲の革１で構成されるパーツは、もうひとつの縫い目４で内張りの中央部５とつながり、この内張り中央部は靴底の輪郭に対応し、内張り材料で構成されるインソールの機能を受け持つ。甲の革１、内張り２および内張り中央部５で構成されるこうした袋状の構造は、特に簡単な方法で組み立てて靴にすることができ、このとき甲の革１だけを対応する靴型にはめるだけですみ、その後靴底６とつなげることが可能である。こうした柔軟性の高い構造により、この構造はねじり剛性の小さい、部屋履きのように履き心地のよい靴が生まれる。ここでこのような靴に補足的に剛性を与え、よりよく足を支えるようにするため、甲の革１と内張り２の間に形成された袋の中に、月型芯７が挿入され、この月型芯７の位置が決まってから、靴を仕上げるための、しかるべき靴型にはめる工程と、靴底とつなげる工程が行われる。さて、特に圧力のかかかる場所ができない形で縫い目４を入れられるように、月型芯７はしかるべき、つまり縫い目４の輪郭に従った切り込み溝８を持ち、この溝は図２による表現ではより明確にわかるようになっている。図２の表現では、月型芯７のみ俯瞰図として示してある。
【００１４】
さて、図３には本発明による靴のもう一つの形が示されており、図１の設計と異なり、こちらはインソール９が予定されており、このインソールは甲の革１と内張り２の間に挿入される。履き心地のよさを高めるため、インソール９にはフットベッドがついている。インソール９は同時に月型芯７を持ち、フットベッドも月型芯もひとつの位置、つまり製造の際、甲の革と内張りの間に挿入される必要のある位置で実現される。図４では、インソール９が楔形に作られており、その結果踵部分が高くなり、全体としてファッション性の高い靴が作られる。図５には対応する断面が側面図として示され、但しここでもインソール９が楔形になっているのがわかる。楔形のインソール９によって達成されたヒールの高さは当然それぞれの希望に対応して合わせることができる。全体として、補足的な方法をとらずに、また従来の方法で靴を仕上げることができるために、また希望した形のねじり特性に影響を与えないために、単純なパーツが単に甲の革１と内張り２の間に作られた袋に挿入されればよいことがわかる。しかも同時に履き心地が改善できる。
【図面の簡単な説明】
【００１５】
【図１】本発明による靴の横断面である。
【図２】図１の図で使われている月型芯の平面図である。
【図３】変更を加えた設計の靴の横断面である。
【図４】月型芯のついたインソールの透視図である。
【図５】図３による設計横断面の側面図である。
【図１】
2005524545.tif 000003
【図２】
2005524545.tif 000004
【図３】
2005524545.tif 000005
【図４】
2005524545.tif 000006
【図５】
2005524545.tif 000007
【国際調査報告】
2005524545.tif 000008
2005524545.tif 000009
2005524545.tif 000010
2005524545.tif 000011